(57)【要約】【課題】版胴を印刷ユニットに取り付ける前に、容易に版胴位相差を測定でき、版胴交換時の印刷装置の停止時間を短くすることができる版胴位相差測定装置及び版胴位相差測定方法を提供する。【解決手段】版胴位相差測定装置１は、版胴３０を中心軸まわりに回転可能な状態で載置する載置台１１と、版胴３０に印された、印刷絵柄の基準位置を示す基準マークを、所定の回転位置に調整する回転角度調整手段１２と、版胴３０に形成され、版胴３０を印刷ユニットに位置決め固定するキー溝の回転位置と基準マークの回転位置との間の角度を測定する角度測定手段１３と、を備える。また、角度測定手段１３は、版胴３０の中心軸方向の一方の端部に形成された支持孔へ挿入される挿入部と、挿入部に形成されており、キー溝に嵌入するキー部と、角度測定手段１３の中心軸まわりの回転角度を測定する角度計と、を有する。【選択図】図１
2020183083.tif 000002
【特許請求の範囲】
【請求項１】
版胴を中心軸まわりに回転可能な状態で載置する載置台と、
前記版胴に印された、印刷絵柄の基準位置を示す基準マークを、所定の回転位置に調整する回転角度調整手段と、
前記版胴に形成され、前記版胴を印刷ユニットに位置決め固定するキー溝の回転位置と前記基準マークの回転位置との間の角度を測定する角度測定手段と、を備え、
前記角度測定手段は、
前記版胴の中心軸方向の一方の端部に形成された支持孔へ挿入される挿入部と、
前記挿入部に形成されており、前記キー溝に嵌入するキー部と、
前記角度測定手段の中心軸まわりの回転角度を測定する角度計と、を有する、
ことを特徴とする版胴位相差測定装置。
【請求項２】
前記回転角度調整手段は、
前記載置台に載置された前記版胴の中心軸に対して鉛直上方からレーザ光を照射する、
ことを特徴とする請求項１に記載の版胴位相差測定装置。
【請求項３】
前記角度計は、
前記キー溝の回転位置と前記基準マークの回転位置との相対角度を測定可能である、
ことを特徴とする請求項１又は２に記載の版胴位相差測定装置。
【請求項４】
版胴を中心軸まわりに回転可能な状態で載置し、
前記版胴に印された、印刷絵柄の基準位置を示す基準マークを、所定の回転位置に調整し、
前記版胴に形成され、前記版胴を印刷ユニットに位置決め固定するキー溝の回転位置と前記基準マークの回転位置との間の角度を測定する角度測定手段を、前記版胴を前記印刷ユニットに支持させるの支持孔に挿入して、前記キー溝の回転角度と前記基準マークの回転位置との間の角度を測定する、
ことを特徴とする版胴位相差測定方法。
【発明の詳細な説明】
【技術分野】
【０００１】
本発明は、版胴位相差測定装置及び版胴位相差測定方法に関する。
【背景技術】
【０００２】
多色印刷を行うウエブ印刷装置では、各色の印刷を行う印刷ユニットに回転可能に支持された版胴を、ウエブに対して位置合わせ（以下、見当合わせという。）し、それぞれの版胴の外周面に付着したインキを順次ウエブに転写して印刷する。
【０００３】
印刷ユニットに版胴を取り付けた際の初期の見当合わせは、各版胴間の長さ、版胴円周長、ウエブの伸び量等を考慮して、印刷ユニットに支持された版胴を、所定の回転位置（角度）に設定することにより行われる。また、版胴の回転位置設定は、版胴の外周面に形成された印刷絵柄の基準位置となるトンボマーク、カラコンマーク等の基準マークが所定の回転位置となるように、版胴を回転させ、位相を変えることにより行われる。
【０００４】
一般的に、印刷装置の印刷ユニットは、円筒状の版胴の中心軸方向両端部に形成された支持孔に支持軸（版胴軸）を挿入して、版胴を支持する。また、版胴の支持孔に形成されたキー溝に、支持軸のキーが嵌入することにより、支持軸と版胴との角度合わせが行われる。印刷装置は、版胴の回転動作を制御する制御部を備えており、例えば、支持軸に形成されたキーの回転位置を検出することにより、支持軸の回転角度を認識する。
【０００５】
また、印刷ユニットは、予めキーの回転位置を原点とするように調整されており、支持軸に取り付けられたロータリーエンコーダによって、支持軸の回転位置を検出する。したがって、キーが嵌入するキー溝の回転位置と、版胴に印された基準マークの回転位置との差（以下、版胴位相差という。）を印刷装置の制御部で補正することにより、基準マークの回転位置を制御する。
【０００６】
しかしながら、版胴の支持孔に形成されるキー溝の位置と、版胴の外周面上に印される基準マークの位置との間の角度である版胴位相差は、版胴ごとに異なる。したがって、印刷装置に取り付けられた版胴を回転させ、基準マークを所定の回転位置に設定して見当合わせを行うには、版胴ごとの版胴位相差を測定する必要がある。
【０００７】
版胴位相差の測定は、例えば、版胴を印刷ユニットに取り付けた状態で、指針等を用いてトンボマークが所定の位置となるように位置合わせを行い、その時のキー溝の回転位置を０にプリセットして、版胴の角度情報をメモリに記憶させることによって行われる（特許文献１）。
【先行技術文献】
【特許文献】
【０００８】
【特許文献１】特開２００３−２６６６４５号公報
【発明の概要】
【発明が解決しようとする課題】
【０００９】
特許文献１の印刷装置では、印刷に初めて使用される版胴を、印刷ユニットに取り付けた状態で版胴位相差を測定するので、切替時間、すなわち版胴交換時の印刷装置の停止時間が長くなり、生産効率が低下する。また、基準マークの回転位置を位置合わせする指針等の装置が、各印刷ユニットに必要となる。
【００１０】
本発明は、上述の事情に鑑みてなされたものであり、製版完成時等、版胴を印刷ユニットに取り付ける前に、容易に版胴位相差を測定でき、この位相差を前もって印刷装置に入力し、記憶させることにより、版胴交換時の印刷装置の停止時間を短くすることができる版胴位相差測定装置及び版胴位相差測定方法を提供することを目的とする。
【課題を解決するための手段】
【００１１】
上記目的を達成するため、この発明の第１の観点に係る版胴位相差測定装置は、
版胴を中心軸まわりに回転可能な状態で載置する載置台と、
前記版胴に印された、印刷絵柄の基準位置を示す基準マークを、所定の回転位置に調整する回転角度調整手段と、
前記版胴に形成され、前記版胴を印刷ユニットに位置決め固定するキー溝の回転位置と前記基準マークの回転位置との間の角度を測定する角度測定手段と、を備え、
前記角度測定手段は、
前記版胴の中心軸方向の一方の端部に形成された支持孔へ挿入される挿入部と、
前記挿入部に形成されており、前記キー溝に嵌入するキー部と、
前記角度測定手段の中心軸まわりの回転角度を測定する角度計と、を有する。
【００１２】
また、前記回転角度調整手段は、
前記載置台に載置された前記版胴の中心軸に対して鉛直上方からレーザ光を照射する、
こととしてもよい。
【００１３】
また、前記角度計は、
前記キー溝の回転位置と前記基準マークの回転位置との相対角度を測定可能である、
こととしてもよい。
【００１４】
この発明の第２の観点に係る版胴位相差測定方法は、
版胴を中心軸まわりに回転可能な状態で載置し、
前記版胴に印された、印刷絵柄の基準位置を示す基準マークを、所定の回転位置に調整し、
前記版胴に形成され、前記版胴を印刷ユニットに位置決め固定するキー溝の回転位置と前記基準マークの回転位置との間の角度を測定する角度測定手段を、前記版胴を前記印刷ユニットに支持させるの支持孔に挿入して、前記キー溝の回転角度と前記基準マークの回転位置との間の角度を測定する。
【発明の効果】
【００１５】
本発明によれば、版胴を印刷ユニットに取り付ける前に、容易に版胴位相差を測定できるので、版胴交換時の印刷装置の停止時間を短くし、生産効率を向上させることが可能である。
【図面の簡単な説明】
【００１６】
【図１】本発明の実施の形態に係る版胴位相差測定装置の正面図である。
【図２】実施の形態に係る版胴位相差測定装置の側面図である。
【図３】回転角度調整が完了した状態を示す版胴の平面図である。
【図４】実施の形態に係る角度測定手段の構成を示す斜視図である。
【図５】版胴と版胴に挿入された角度測定手段とを示す断面図である。
【図６】版胴位相差の測定状態を示す概念図である。
【発明を実施するための形態】
【００１７】
以下、図を参照しつつ、本発明の実施の形態に係る版胴位相差測定装置及び版胴位相差測定方法について説明する。
【００１８】
本実施の形態に係る版胴位相差測定装置１は、図１及び図２に示すように、載置台１１、回転角度調整手段１２、角度測定手段１３を備える。
【００１９】
載置台１１は、版胴３０を載置する基台であり、ベースプレート１１ａ、保持ブロック１１ｂを備える。ベースプレート１１ａは矩形板状の部材であり、主面が上下方向となるように配置される。
【００２０】
保持ブロック１１ｂは、版胴３０の中心軸が水平方向となるように、載置台１１上に載置された版胴３０を保持する。保持ブロック１１ｂは、例えば図２に示すように、三角柱状の部材の一側面がベースプレート１１ａの上面に接するように、ベースプレート１１ａに取り付けられており、２つの保持ブロック１１ｂの斜面部が対向するように配置されている。
【００２１】
これにより、保持ブロック１１ｂは、Ｖブロックのように、対向する斜面部に版胴３０を載置することができる。したがって、様々な径の版胴３０を載置台１１上に載置することができる。また、図１に示すように、載置する版胴３０の中心軸方向に、対向する一対の保持ブロック１１ｂを複数配置することにより、版胴３０をより安定して載置することができる。
【００２２】
上記の例では、保持ブロック１１ｂの形状は三角柱状であることとしたが、特に限定されず、版胴３０を回転可能に載置できるものであればよい。例えば、版胴３０の載置方向と平行に回転可能に設置されたコロであってもよく、ベースプレート１１ａに立設する位置決めピンであってもよい。保持ブロック１１ｂに代えて、ベースプレート１１ａ上面に設置されたコロで版胴３０を支持する場合、版胴３０を容易に回転させることができる。
【００２３】
回転角度調整手段１２は、載置台１１に載置された版胴３０を版胴３０の中心軸まわりに回転させて、版胴３０の外周面に印された、印刷絵柄の基準位置を示す基準マークを所定の回転位置（角度）に調整するためのガイドである。本実施の形態に係る回転角度調整手段１２は、保持ブロック１１ｂの上方に配置されたレーザ照射装置である。
【００２４】
回転角度調整手段１２は、載置台１１に配置された、対向する一対の保持ブロック１１ｂの中間位置を通るように、直線状のレーザ光を照射する。具体的には、一対の保持ブロック１１ｂの中間位置となるベースプレート１１ａ上に、目安となる直線が印されている。そして目安となる直線と、回転角度調整手段１２から照射されるレーザ光とが一致するように、レーザ光の照射角度等が予め調整されている。
【００２５】
したがって、載置台１１上に載置された版胴３０の中心軸の直上にレーザ光を照射することができる。これにより、図３に示すように、版胴３０の基準マークが、照射されたレーザ光と重なるように、版胴３０を中心軸まわりに回転させて、基準マークが最上部の位置となるように、版胴３０の回転角度を調整することができる。
【００２６】
角度測定手段１３は、版胴３０に形成され、版胴３０を印刷ユニットに位置決め固定するキー溝３０ａの回転位置と基準マークの回転位置との間の角度である版胴位相差を測定するものであり、図４に示すように、挿入部１３ａ、キー部１３ｂ、角度計１３ｃを備える。ここで、キー溝３０ａの回転位置とは、キー溝３０ａの幅方向中心の回転角度である。
【００２７】
挿入部１３ａは、円柱状の角度測定手段１３の一方の端部に形成されたテーパ部であり、図５に示すように、版胴３０の中心軸方向端部に形成された、版胴３０を印刷ユニットに支持させる支持孔に挿入される。支持孔には、テーパ部３０ｂが形成されており、挿入された角度測定手段１３と版胴３０とが同一中心軸となるように固定される。
【００２８】
キー部１３ｂは、テーパ部である挿入部１３ａに形成されたキーであり、図５に示すように、版胴３０のテーパ部３０ｂに形成されたキー溝３０ａに嵌入して、角度測定手段１３の版胴３０に対する回転位置を位置決めする。
【００２９】
角度計１３ｃは、角度測定手段１３の挿入部１３ａと反対側の端部に配置された角度測定器であり、測定位置の鉛直方向に対する傾きを示す。角度計１３ｃは、例えば、一般的なデジタル角度計（シンワ測定株式会社、デジタルアングルメーター ミニ マグネット付 ７６４４７）であり、キー部１３ｂの中心、より具体的には、キー部１３ｂの幅方向中心が、角度計１３ｃの測定位置となるように、配置されている。
【００３０】
これにより、角度測定手段１３の測定位置であるキー部１３ｂの中心軸まわりの回転角度を測定することができる。
【００３１】
続いて、本実施の形態に係る版胴位相差測定装置１を用いた版胴位相差測定方法について説明する。
【００３２】
まず、版胴位相差の測定対象となる版胴３０を、版胴位相差測定装置１の載置台１１に載置する。載置台１１に配置されている保持ブロック１１ｂにより、版胴３０は、中心軸が略水平方向となるように載置される。
【００３３】
続いて、図１及び図２に示すように、載置台１１に載置された版胴３０の外周面上に、円柱形頂点指示水準器ＣＬを設置する。そして、円柱形頂点指示水準器ＣＬを用いて、版胴３０が水平に設置されていることを確認する。版胴３０が水平に載置されていない場合、ベースプレート１１ａの四隅に配置されたアジャスタ１１ｃを用いて、載置台１１の角度を調整して版胴３０を水平にする。これにより、版胴位相差をより精度よく測定することができる。
【００３４】
続いて、回転角度調整手段１２のレーザ照射装置の電源を投入して版胴３０にレーザ光を照射する。回転角度調整手段１２からのレーザ光は、鉛直上方から版胴３０の中心軸へ照射されるように予め調整されているので、レーザ光は、版胴３０の頂部の直線上に照射される。
【００３５】
版胴３０は、版胴３０の外周面に印された基準マークが、直線状のレーザ光に重なるように手動で回転される。これにより、版胴３０は、基準マークが鉛直上方の位置になるように、位置決めされる。
【００３６】
続いて、角度測定手段１３が、版胴３０の一方の端部に形成されたキー溝３０ａを有するテーパ部３０ｂに挿入される。この時、角度測定手段１３は、角度測定手段１３の測定位置となるキー部１３ｂが版胴３０のキー溝３０ａに嵌入する回転位置で、版胴３０へ挿入される。
【００３７】
図６に示すように、角度測定手段１３の角度計１３ｃは、キー溝３０ａの回転位置と同じ、キー部１３ｂの回転位置である角度を示す。したがって、角度計１３ｃの示す角度を読みとることにより、版胴３０の版胴位相差、すなわち、版胴３０を印刷ユニットに位置決め固定するキー溝３０ａの回転位置と基準マークの回転位置との間の角度を測定することができる。
【００３８】
版胴位相差が測定された版胴３０を印刷ユニットに取り付ける際、印刷装置の制御部に測定済みの版胴位相差を入力することにより、制御部は、検出可能なキーの回転位置と、入力された版胴位相差とに基づいて版胴３０を回転させて、見当合わせをすることができる。
【００３９】
また、版胴３０の識別番号と測定された版胴位相差との組み合わせ情報を、印刷装置の制御部、印刷装置がネットワークを介して接続されたサーバの記憶装置等に、予め記憶させておくことにより、繰り返し、版胴３０を交換して使用する場合であっても、効率的に切替作業を行うことができる。
【００４０】
以上、詳細に説明したように、本実施の形態に係る版胴位相差測定装置１及びこれを用いた版胴位相差測定方法では、版胴３０を印刷ユニットに取り付ける前に、容易に版胴位相差を測定できるので、版胴交換時の印刷装置の停止時間を短くし、生産効率を向上させることが可能である。
【００４１】
また、印刷ユニットに版胴３０を取り付けた状態で版胴位相差を測定する場合、基準マークの回転位置を設定するための指針等を各印刷ユニットに取り付ける必要がある。すなわち、版胴位相差測定の基準が、印刷ユニットごとに異なる。これにより、各印刷ユニットで印刷位置がばらつくおそれがある。しかしながら、本実施の形態に係る版胴位相差測定装置１及びこれを用いた版胴位相差測定方法では、各印刷ユニットに取り付ける版胴３０について、共通の基準で版胴位相差を測定することができるので、各印刷ユニットの見当合わせの精度を高めることが可能である。
【００４２】
本実施の形態に係る回転角度調整手段１２は、レーザ照射装置であることとしたが、これに限られず、版胴３０の基準マークを所定の位置に調整可能な構成であればよい。
【００４３】
また、本実施の形態では、基準マークは、版胴３０の外周面上に印されていることとしたが、これに限られない。例えば、中心軸方向の一方の端面に印されていることとしてもよい。この場合、回転角度調整手段１２は、基準マークが印された端面の上下方向にレーザ光を照射する等、基準マークが鉛直上方に位置するようにガイド可能なものであればよい。
【００４４】
また、本実施の形態では、回転角度調整手段１２を用いて、基準マークの回転位置を鉛直上方に調整することとしたが、これに限られず、基準マークを、測定基準となる任意の回転位置に調整することとしてもよい。この場合、キー溝３０ａの回転位置と基準マークの回転位置との相対角度を測定可能な角度計１３ｃを用いて、版胴位相差を測定すればよい。
【符号の説明】
【００４５】
１  版胴位相差測定装置、１１  載置台、１１ａ  ベースプレート、１１ｂ  保持ブロック、１１ｃ  アジャスタ、１２  回転角度調整手段、１３  角度測定手段、１３ａ  挿入部、１３ｂ  キー部、１３ｃ  角度計、３０  版胴、３０ａ  キー溝、３０ｂ  テーパ部、ＣＬ  円柱形頂点指示水準器
【図１】
2020183083.tif 000003
【図２】
2020183083.tif 000004
【図３】
2020183083.tif 000005
【図４】
2020183083.tif 000006
【図５】
2020183083.tif 000007
【図６】
2020183083.tif 000008